(57)【要約】【課題】顔色、毛穴、シミ、シワなどの評価目的に応じて、光源を適切に選択し顔画像を撮影できる顔撮影装置を提供することである。また、もう1つの課題は、光源とフィルターの組み合わせを適切に選択し顔画像を撮影できる顔撮影装置を提供する。【解決手段】顔を照明するための通常光を照射する蛍光灯５と、顔を照明するためのフラッシュ光を照射するフラッシュ６と、顔を撮影するための撮影カメラ４と、顔画像の評価目的に応じて複数の撮影モードのうちから１つを選択する撮影モード選択手段３１と、選択された撮影モードに応じて蛍光灯５もしくはフラッシュ６を選択する光源選択手段３３を備える。【選択図】図６
2008289706.tif 000002
【特許請求の範囲】
【請求項１】
顔を照明するための通常光を照射する第１光源と、
顔を照明するためのフラッシュ光を照射する第２光源と、
顔を撮影するための撮影手段と、
顔画像の評価目的に応じて複数の撮影モードのうちから１つを選択する撮影モード選択手段と、
選択された撮影モードに応じて第１光源もしくは第２光源を選択する光源選択手段を備える顔撮影装置。
【請求項２】
前記撮影モード選択手段は、前記第１光源を照射して撮影する第１撮影モードと、前記第２光源の前面に可視光を透過させる第１の透過フィルターを配置して撮影する第２撮影モードと、前記第２光源の前面に紫外線および／または青色光を透過させる第２の透過フィルターを配置して撮影する第３撮影モードと、の少なくとも３つのうちから１つの撮影モードを選択可能に構成され、
選択された撮影モードに応じてフィルターを切り換えるフィルター切換手段を備えることを特徴とする請求項１に記載された顔撮影装置。
【請求項３】
前記第２撮影モードでは、前記第２光源の前面に第１の偏光フィルターが、前記撮影手段の前面に前記第１の偏光フィルターに対しクロスニコルの状態となるように第２の偏光フィルターが、さらに配置されることを特徴とする請求項２に記載された顔撮影装置。
【請求項４】
前記第３撮影モードでは、前記撮影手段の前面に紫外線および／または青色光をカットするカットフィルターがさらに配置されることを特徴とする請求項２に記載された顔撮影装置。
【請求項５】
前記第２撮影モードに用いる第１の透過フィルター、第１の偏光フィルター、および第２の偏光フィルターを支持する第１支持部と、前記第３撮影モードに用いる第２の透過フィルターとカットフィルターを支持する第２支持部と、を備え、前記フィルター切換手段は前記第２光源と前記撮影手段の前面にいずれかの支持部を位置させることを特徴とする請求項３または請求項４に記載された顔撮影装置。
【請求項６】
前記第１支持部と前記第２支持部が一体化されたフィルター支持ユニットを構成し、前記フィルター切換手段は、選択された撮影モードに応じて前記フィルター支持ユニットを平行移動させることでフィルターの位置を切り換えることを特徴とする請求項５に記載された顔撮影装置。
【請求項７】
前記第１支持部と前記第２支持部が一体化されたフィルター支持ユニットを構成し、前記フィルター切換手段は、選択された撮影モードに応じて前記フィルター支持ユニットを回転移動させることでフィルターの位置を切り換えることを特徴とする請求項５に記載された顔撮影装置。
【請求項８】
前記第２光源は、前記撮影手段の上下に１つずつ配置し、上下２つの第２光源から照射されたフラッシュ光の照射範囲が重なる領域に顔が配置されることを特徴とする請求項１〜７のいずれか１項に記載された顔撮影装置。
【請求項９】
前記第１光源はリング状に形成され、かつ前記第２光源の発光面は、リングの内側で、かつ第１光源よりも後方に配置されることを特徴とする請求項１〜８のいずれか１項に記載された顔撮影装置。
【発明の詳細な説明】
【技術分野】
【０００１】
本発明は、肌の状態を診断する場合などに使用される顔撮影装置に関するものである。
【背景技術】
【０００２】
かかる顔撮影装置は、美容皮膚科、美容外科、形成外科などにおいて使用されており、定期的に人の顔を撮影することで肌の状態の経時的な変化を観察し、化粧品や肌治療の効果を確認する目的で使用されている。
【０００３】
顔を撮影する場合には、顔を照明するための光源を必要とされるが、例えば、下記特許文献１では、ブラックライトを光源として使用している。また、下記特許文献２では、光源としては、ハロゲンランプ、キセノン、タングステンランプなどが挙げられている。下記特許文献３では、可視光として蛍光灯、自然光、白色ＬＥＤ、フラッシュ光など、紫外光としてブラックライト、フラッシュやＬＥＤやレーザーで発生させた光などを光源として利用している。
【０００４】
一方、撮影された顔画像からは、評価のために毛穴、シミ、シワ、ポルフィリンなどの抽出を行なう必要がある。これらを例えば蛍光灯の光源のみで撮影すると評価が難しく、例えばポルフィリンは紫外線を照射して蛍光を発する性質を利用して撮影される。また、特許文献２では、顔を撮影する際に顔表面からの反射光を防ぎ、シミやソバカス等を明瞭にカラー撮影する方法が開示されている。これは、第１の偏光フィルターを通過して偏光された照射光によって皮膚表面の所定部位が照射され、照射された皮膚表面像は第２の偏光フィルターを通してカラー撮影され、その際、第２の偏光フィルターの偏光面を第１の偏光フィルターの偏光面に対して直角に位置させることにより、皮膚表面からの直接反射光をカットし皮膚表面像をカラー撮影する方法である。しかし、特許文献２は顔表面の一部を接写して撮影する方法であり、顔全体を撮影する場合には、ハロゲンランプなどの光源からの光を拡散板などを用いて拡散させると光量が落ちてしまい、偏光フィルターを介して顔全体を均一に照らすことが困難となるという問題がある。
【０００５】
【特許文献１】特開２００５−１４８５４０号公報
【特許文献２】特公平６−９５９９６号公報
【特許文献３】特許３５１７６５９号公報
【発明の開示】
【発明が解決しようとする課題】
【０００６】
このように、顔画像の評価目的に応じて、光源の適切な選択を行なう必要がある。しかし、評価目的に応じて、オペレータが光源を選択しようとする場合に間違えて選択してしまう可能性がある。また、光源と組み合わせてフィルターを使用する必要があり、評価目的に応じて、適切な光源とフィルターの組み合わせを確実に選択する必要がある。
【０００７】
本発明は上記実情に鑑みてなされたものであり、その課題は、顔色、毛穴、シミ、シワなどの評価目的に応じて、光源を適切に選択し顔画像を撮影できる顔撮影装置を提供することである。また、もう１つの課題は、光源とフィルターの組み合わせを適切に選択し顔画像を撮影できる顔撮影装置を提供することである。
【課題を解決するための手段】
【０００８】
上記課題を解決するため本発明に係る顔撮影装置は、
顔を照明するための通常光を照射する第１光源と、
顔を照明するためのフラッシュ光を照射する第２光源と、
顔を撮影するための撮影手段と、
顔画像の評価目的に応じて複数の撮影モードのうちから１つを選択する撮影モード選択手段と、
選択された撮影モードに応じて第１光源もしくは第２光源を選択する光源選択手段を備えることを特徴とする。
【０００９】
この構成による顔撮影装置の作用・効果を説明する。顔撮影装置は、顔を照明するための光源と、照明された顔を撮影するための撮影手段を備える。光源としては、通常光を照射する第１光源と、フラッシュ光を照射する第２光源を備える。フラッシュ光は、偏光フィルターなどを用いた場合であっても、十分な光量を得ることができる。ここで、通常光とは、フラッシュ光ではない、蛍光灯やＬＥＤなどから照射される光を意味する。
【００１０】
顔画像の評価目的、つまり、顔色、毛穴、シワ、シミ、ポルフィリンなどの評価に応じて複数の撮影モードが用意されている。そして、これらの評価目的に応じて１つの撮影モードを選択する撮影モード選択手段を備えている。さらに、選択された撮影モードに応じて第１光源もしくは第２光源を選択する光源選択手段を備えており、その評価目的に応じて光源を適切に選択し顔画像を撮影することができる。また、光源の選択を間違えることもない。
【００１１】
本発明において、前記撮影モード選択手段は、前記第１光源を照射して撮影する第１撮影モードと、前記第２光源の前面に可視光を透過させる第１の透過フィルターを配置して撮影する第２撮影モードと、前記第２光源の前面に紫外線および／または青色光を透過させる第２の透過フィルターを配置して撮影する第３撮影モードと、の少なくとも３つのうちから１つの撮影モードを選択可能に構成され、
選択された撮影モードに応じてフィルターを切り換えるフィルター切換手段を備えることが好ましい。
【００１２】
第１撮影モードでは、顔表面の顔色、毛穴、シワなどについて検査することを目的として、第１光源を使用し通常光を照射して撮影手段により顔の撮影を行なう。通常光を照射して撮影すると、顔色や毛穴についてはより自然に撮影でき、観察や評価を行ない易い。第２撮影モードでは、シミについて検査することを目的として、第２光源の前面に可視光を通過させる第１の透過フィルターを配置し、フラッシュ光による可視光を照射して撮影手段により顔の撮影を行なう。シミの原因となるメラニンは可視光の短波長側および紫外線を吸収し易いため、可視光を吸収させて撮影される。第３撮影モードでは、ポルフィリンについて検査することを目的として、第２光源の前面に紫外線および／または青色光を透過させる第２の透過フィルターを配置して撮影手段により顔の撮影を行なう。昨今、肌状態の評価を、肌表面のポルフィリンの量を指標に行なうことができることが明らかにされており、ポルフィリンが紫外線および／または青色光を照射されると蛍光を発することから、紫外線および／または青色光を照射し顔の撮影を行なうことで、ポルフィリンの評価を行なう。
【００１３】
これらの第１〜第３撮影モードのうちから１つの撮影モードが撮影モード選択手段により選択され、選択された撮影モードに応じてフィルターがフィルター切換手段により切り換えられる。したがって、撮影モードに応じて、光源選択手段により光源が選択され、フィルター切換手段によりフィルターが切り換えられるので、評価目的に応じて、光源とフィルターの組み合わせを適切に選択し顔画像を撮影することができる。
【００１４】
本発明において、前記第２撮影モードでは、前記第２光源の前面に第１の偏光フィルターが、前記撮影手段の前面に前記第１の偏光フィルターに対しクロスニコルの状態となるように第２の偏光フィルターが、さらに配置されることが好ましい。
【００１５】
撮影モード選択手段により第２撮影モードが選択された場合、第２光源の前面に第１の偏光フィルターと、撮影手段の前面に第１の偏光フィルターに対しクロスニコルの状態となるように第２の偏光フィルターが、フィルター切換手段によりさらに配置される。第２光源の前面に第１の透過フィルターを配置することで、フラッシュ光のうち可視光のみが顔に照射される。この可視光を、第２光源の前面にさらに配置した第１の偏光フィルターにより特定の偏光面を有する光とする。この偏光された可視光を顔に照射して撮影手段により撮影を行なうが、撮影手段の前面に第１の偏光フィルターに対してクロスニコルの関係にある第２の偏光フィルターを配置する。すなわち、第２の偏光フィルターの偏光軸を第１の偏光フィルターの偏光軸に対して直角となるように配置することで、第２撮影モードで撮影を行なう際にも、第１の偏光フィルターで偏光された光の顔表面からの反射光を防止することができ、シミを的確に撮影することができる。
【００１６】
本発明において、前記第３撮影モードでは、前記撮影手段の前面に紫外線および／または青色光をカットするカットフィルターがさらに配置されることが好ましい。
【００１７】
撮影モード選択手段により第３撮影モードが選択された場合、撮影手段の前面に紫外線および／または青色光をカットするカットフィルターが、フィルター切換手段によりさらに配置される。第２光源の前面に第２の透過フィルターを配置することで、フラッシュ光のうち、紫外線および／または青色光のみが顔に照射して撮影手段により顔の撮影を行なう。この際、ポルフィリンは紫外線および／または青色光が照射されると蛍光を発し可視化されるが、照射された紫外線および／または青色光も顔表面で反射してしまい、可視化されたポルフィリンのみを撮影することは難しい。したがって、撮影手段の前面に紫外線および／または青色光をカットするカットフィルターを配置することにより、顔表面からの反射光をカットすることができ、第３撮影モードで撮影を行なう際にも、可視化されたポルフィリンのみを的確に撮影することができる。
【００１８】
本発明において、前記第２撮影モードに用いる第１の透過フィルター、第１の偏光フィルター、および第２の偏光フィルターを支持する第１支持部と、前記第３撮影モードに用いる第２の透過フィルターとカットフィルターを支持する第２支持部と、を備え、前記フィルター切換手段は前記第２光源と前記撮影手段の前面にいずれかの支持部を位置させることが好ましい。
【００１９】
本発明に係る顔撮影装置は、第２撮影モードでの撮影に用いる、第１光源の前面に配置された第１の透過フィルターと第１の偏光フィルター、および撮影手段の前面に配置された第２の偏光フィルターを一体として支持するための第１支持部を備える。また、本発明に係る顔撮影装置は、第３撮影モードでの撮影に用いる、第２光源の前面に配置された第２の透過フィルターと撮影手段の前面に配置されたカットフィルターを一体として支持するための第２支持部を備える。フィルター切換手段は、これらの支持部のうち、いずれかの支持部を第２光源と撮影手段の前面に位置させる。これにより、撮影モードに応じて必要なフィルターを切り換えることができ、光源とフィルターの組み合わせを間違うことなく適切に選択することができる。
【００２０】
本発明において、前記第１支持部と前記第２支持部が一体化されたフィルター支持ユニットを構成し、前記フィルター切換手段は、選択された撮影モードに応じて前記フィルター支持ユニットを平行移動させることでフィルターの位置を切り換えることが好ましい。
【００２１】
第１支持部と第２支持部は一体化されフィルター支持ユニットを構成する。選択された撮影モードに応じて、フィルター切換手段により、このフィルター支持ユニットを平行移動させる。これにより、第１支持部に支持されたフィルターと第２支持部にされたフィルターの位置が、光源と撮影手段の前面に切り換えられる。したがって、撮影モードに応じて光源とフィルターの組み合わせを適切に選択し顔画像を撮影できる。また、一体化されたフィルター支持ユニットを構成することで、フィルター切換手段も含めて構成を簡素化することができる。
【００２２】
本発明において、前記第１支持部と前記第２支持部が一体化されたフィルター支持ユニットを構成し、前記フィルター切換手段は、選択された撮影モードに応じて前記フィルター支持ユニットを回転移動させることでフィルターの位置を切り換えることが好ましい。
【００２３】
第１支持部と第２支持部は一体化されフィルター支持ユニットを構成する。選択された撮影モードに応じて、フィルター切換手段により、このフィルター支持ユニットを回転移動させる。これにより、第１支持部に支持されたフィルターと第２支持部にされたフィルターの位置が、光源と撮影手段の前面に切り換えられる。したがって、撮影モードに応じて光源とフィルターの組み合わせを適切に選択し顔画像を撮影できる。また、一体化されたフィルター支持ユニットを構成することで、フィルター切換手段も含めて構成を簡素化することができる。
【００２４】
本発明において、前記第２光源は、前記撮影手段の上下に１つずつ配置し、上下２つの第２光源から照射されたフラッシュ光の照射範囲が重なる領域に顔が配置されることが好ましい。
【００２５】
第２光源は、撮影手段の上下に１つずつ配置する。この上下の第２光源から照射されたフラッシュ光の照射範囲が重なる領域に撮影される顔が配置されるように構成する。このように第２光源を配置することで、顔に影が出来にくく、顔全体を均一に照らすことができる。
【００２６】
本発明において、前記第１光源はリング状に形成され、かつ前記第２光源の発光面は、リングの内側で、かつ第１光源よりも後方に配置されることが好ましい。
【００２７】
第１光源はリング状に形成され、かつ第２光源の発光面は、第１光源のリングの内側であって、かつ第１光源よりも後方に配置される。したがって、第１光源はリング状なので顔全体をより均一に照らすことができ、また、第２光源の発光面はリングの内側なので、第１光源が影になることはなく、第２光源による照明も均一にすることができる。
【発明を実施するための最良の形態】
【００２８】
＜顔撮影装置の構成＞
本発明に係る顔撮影装置の好適な実施形態について図面を用いて説明する。図１は、顔撮影装置の内部構成を示す立体斜視図であり、図１（ａ）は撮影される顔側から顔撮影装置を見た図、図１（ｂ）は背面から顔撮影装置を見た図を示す。図２（ａ）は正面図、図２（ｂ）は横断面図、図２（ｃ）は背面図である。
【００２９】
図１において、顔撮影装置Ａは、全体として略立方体形状のフレーム１を備えており、顔の撮影を行う時はフレーム１内の顔保持具（不図示）に所定箇所に顔を保持させた状態で行われる。ただし、顔保持具はなくてもよい。フレーム１内には、プレート２を備えており、さらに、プレート２には、左右に２枚の支持体３が設けられている。プレート２の中央部には、矩形形状の孔が設けられている。
【００３０】
支持体３には、顔を撮影するための撮影手段として撮影カメラ４が固定されている。撮影カメラ４は、デジタルカメラが使用されるが、どのようなタイプのものを使用してもよい。必要に応じてビデオ機能を有するものを使用してもよく、静止画像を撮影可能なビデオカメラを使用してもよい。
【００３１】
撮影を行なうときに顔を照明するための光源として、通常光を照射する蛍光灯５（第１光源に相当）と、フラッシュ光を照射するフラッシュ６（第２光源に相当）が支持体３に固定されている。蛍光灯５は、大きさの違うリング状の蛍光灯を２本使用している。蛍光灯５は棒状の蛍光灯を上下や左右に複数配置して使用してもよいが、顔全体を均一に照らすためにはリング状の蛍光灯５を使用するのが好ましい。
【００３２】
フラッシュ６は撮影カメラ４の上下に１つずつ配置している。フラッシュ６としてはキセノンフラッシュランプが使用され、上下のフラッシュ６は同じものを使用する。フラッシュ光を使用すると、後述する偏光フィルターなどを透過した後にも十分な光量を得ることができる。上下のフラッシュ６は、図３（ａ）に示すように、上下２つのフラッシュ６から照射されたフラッシュ光の照射範囲が重なる領域に顔が配置されるように構成される。上下のフラッシュ６の発光光軸１３の角度は水平方向に平行に配置するが、フラッシュ６の種類またはフラッシュ６間の距離によっては必要に応じて、図３（ｂ）のようにフラッシュ６の発光光軸１３の角度を中央に向けてもよい。また、フラッシュ６は、図２（ｂ）のように、蛍光灯５よりも後方に配置されているが、フラッシュ６の発光面６ａは蛍光灯５のリングの内側に配置されており、フラッシュ６のフラッシュ光によって、顔表面に蛍光灯５の影が生じることはない。
【００３３】
なお、人物撮影に適した色温度は、４５００〜５５００Ｋであり、本実施形態で蛍光灯５またはフラッシュ６を使用した場合においても、色温度がこの範囲となるようにしている。例えば、蛍光灯５では４５００Ｋ、フラッシュ６では５５００Ｋとなっている。
【００３４】
蛍光灯５と顔の間には、蛍光灯５の光を拡散し、顔を均一に照らすための拡散板７を備えている。拡散板７は、プレート２に固定される。拡散板７は段差８を有した円筒形状をしており、段差８の背面に蛍光灯５が配置されている。拡散板７は円筒形状をしており、蛍光灯５側が細くなった円錐台形状の場合に比べ、撮影の際に拡散板７の中に顔を近づけた場合にも閉塞感を感じにくく、また、内部空間が広いので光源からの熱の影響も受けにくくなっている。拡散板７の材質としては、例えば、住友化学株式会社製のメタクリル樹脂、商品名スミペックスオパール各種を使用することができる。この材質を使用することで、顔画像の撮影に適した均一性のいい光源を得ることができ、また、安定した照度の顔画像を得ることができる。なお、プレート２に固定されている拡散板７は、顔側に取り外しが可能となっており、拡散板７の背面に位置する蛍光灯５の交換を容易に行なうことができる。
【００３５】
また、顔撮影装置Ａは、複数のフィルターが支持されたフィルター支持ユニット９を備えている。フィルター支持ユニット９と、プレート２、撮影カメラ４、フラッシュ６などとの位置関係を図４を用いて説明する。フィルター支持ユニット９は、プレート２の背面であって、撮影カメラ４およびフラッシュ６の前面に備えられている。プレート２の背面には上下１本ずつ水平方向にガイドレール１０が設けられており、フィルター支持ユニット９は、被ガイド部１１を介してガイドレール１０に沿って水平方向に平行移動することができる。フィルター支持ユニット９は、複数の撮影モードから選択された撮影モードに応じて、フィルター切換手段１２によって水平方向に平行移動させられる。これにより、選択された撮影モードに応じて、フィルターをフラッシュ６と撮影カメラ４の前面に適切に配置することができる。また、フィルター群を一体化したフィルター支持ユニット９を構成し、フィルター群を一体化して切り換えることができるので、撮影モードに応じたフィルターをユーザーなどが手動で脱着する必要はない。
【００３６】
ここで、フィルター切換手段１２としては、例えば、ボールネジ機構やリニアモーターでフィルター支持ユニット９を駆動してもよく、回転モーターとベルトなどを組み合わせてフィルター支持ユニット９を水平方向に駆動するようにしてもよい。また、顔撮影装置Ａは、フィルター支持ユニット９の位置を検出するための不図示のユニット位置検出部を備えている。ユニット位置検出部としては、例えば、レーザーセンサーなどで直接フィルター支持ユニット９の位置を検出したり、フィルター切換手段１２のモーター回転数などエンコーダなどにより検出したりする方法が考えられる。
【００３７】
＜フィルター支持ユニットの構成＞
フィルター支持ユニット９の構成について図面を用いて説明する。図５（ａ）はフィルター支持ユニット９を顔側から見た正面図、図５（ｂ）は、Ａ‐Ａ断面図、図５（ｃ）は、Ｂ‐Ｂ断面図、図５（ｄ）はＣ‐Ｃ断面図である。フィルター支持ユニット９は、フィルターフレーム２０にフィルターが支持されている。フィルター支持ユニット９は、上段、中段、下段の３段から構成されており、上段と下段はフラッシュ６用のフィルター、中段は撮影カメラ４用のフィルターが支持される。また、中段は、図５（ｂ）〜（ｄ）から分かるように、上段、下段に比べ、撮影カメラ４側に突出し、中段と上下段との連結部分は板状の仕切りになっており、フラッシュ６からのフラッシュ光が撮影カメラ４に直接入射しないようにしている。
【００３８】
また、フィルター支持ユニット９は、連結部２１、第１支持部２２、第２支持部２３から構成されている。連結部２１ではフィルターフレーム２０に丸孔２４が設けられている。丸孔２４には、フィルターは設けられていない。なお、撮影カメラ４への埃の進入を防止するために、丸孔２４にフィルター機能のない透明なガラスや樹脂等を設けてもよい。第１支持部２２では、図５（ｃ）のように、フラッシュ６の前面に第１の透過フィルター２５と第１の偏光フィルター２６とが重ねて支持され、撮影カメラ４の前面に第１の偏光フィルター２６に対しクロスニコルの状態となるように第２の偏光フィルター２７が支持されている。第１の透過フィルター２５は、フラッシュ６のフラッシュ光のうち可視光のみを透過させる。なお、第１の透過フィルター２５と第１の偏光フィルター２６は、どちらが前であっても構わない。第２支持部２３では、フラッシュ６の前面に第２の透過フィルター２８が支持され、撮影カメラ４の前面にカットフィルター２９が支持されている。第２の透過フィルター２８は、フラッシュ６のフラッシュ光のうち紫外線および／または青色光のみを透過させる。カットフィルター２９は、紫外線および／または青色光をカットすることができる。第１支持部２２と第２支持部２３の上下に設けられたフィルターは同じものを使用する。
【００３９】
＜撮影モード＞
第１撮影モードでは、顔表面の顔色、毛穴、シワなどについて検査することを目的として、蛍光灯５を使用し通常光を照射して顔画像の撮影を行なう。通常光を照射して撮影すると、顔色や毛穴についてはより自然に撮影でき、観察や評価を行ない易い。具体的には、第１撮影モードでは、フィルター切換手段１２によりフィルター支持ユニット９の連結部２１の丸孔２４が撮影カメラ４の前面に配置され、蛍光灯５により照明された顔の可視画像を撮影カメラ４により撮影される。
【００４０】
第２撮影モードでは、シミについて検査することを目的として、フラッシュ６の前面に可視光を通過させる第１の透過フィルター２５を配置し、フラッシュ光による可視光を照射して撮影カメラ４により顔の撮影を行なう。シミの原因となるメラニンは可視光を吸収し易いため、可視光を吸収させて撮影される。具体的には、第２撮影モードでは、フィルター切換手段１２によりフィルター支持ユニット９の第１支持部２２がフラッシュ６と撮影カメラ４の前面に配置される。フラッシュ６の前面に第１の透過フィルター２５を配置することで、フラッシュ光のうち可視光のみが顔に照射される。この可視光を、フラッシュ６の前面にさらに配置した第１の偏光フィルター２６により特定の偏光面を有する光とする。この偏光された可視光を顔に照射して撮影カメラ４により撮影を行なうが、撮影カメラ４の前面に第１の偏光フィルター２６に対してクロスニコルの関係にある第２の偏光フィルター２７を配置することで、顔表面からの反射光を防止することができ、シミを的確に撮影することができる。
【００４１】
第３撮影モードでは、ポルフィリンについて検査することを目的として、フラッシュ６の前面に紫外線および／または青色光を透過させる第２の透過フィルター２８を配置して撮影カメラ４により顔の撮影を行なう。ポルフィリンが紫外線および／または青色光を照射されると蛍光を発することから、紫外線および／または青色光を照射し顔の撮影を行なうことで、ポルフィリンの評価を行なう。具体的には、第３撮影モードでは、フィルター切換手段１２によりフィルター支持ユニット９の第２支持部２３がフラッシュ６と撮影カメラ４の前面に配置される。フラッシュ６の前面に第２の透過フィルター２８を配置することで、フラッシュ光のうち、紫外線および／または青色光のみが顔に照射される。この際、ポルフィリンは紫外線および／または青色光が照射されると蛍光を発し可視化されるが、照射された紫外線および／または青色光も顔表面で反射してしまい、可視化されたポルフィリンのみを撮影することは難しい。したがって、撮影カメラ４の前面に紫外線および／または青色光をカットするカットフィルター２９を配置することにより、反射光をカットすることができ、可視化されたポルフィリンのみを的確に撮影することができる。
【００４２】
＜制御関係＞
顔撮影装置Ａの主要な制御機能について図６の制御ブロック図により説明する。制御部３０は、顔撮影装置Ａを統括的に制御する機能を備える。顔画像の評価目的に応じて設定された第１〜３の撮影モードのうちから１つが選択されると、撮影モード選択手段３１から制御部３０にどの撮影モードが選択されたかの情報が送られる。制御部は、その撮影モードに応じてあらかじめ登録してある光源とフィルターの組み合わせに関する情報を撮影モード登録部３２から読み出す。この情報に基いて、制御部３０から光源選択手段３３、フィルター切換手段１２、および撮影カメラ４に対して動作指令が行なわれる。
【００４３】
光源選択手段３３は、選択された撮影モードに応じて、蛍光灯５もしくはフラッシュ６のどちらを顔に照射させるかを選択する。
【００４４】
また、フィルター切換手段１２は、選択された撮影モードに応じて、フィルター支持ユニット９を平行移動させ、フラッシュ６と撮影カメラ４の前面に連結部２１、第１支持部２２、第２支持部２３のいずれかを位置させる。また、フィルター支持ユニット９の位置はユニット位置検出部３４により検出され、ユニット位置検出部３４の検出値が所定の値になるまでフィルター切換手段１２はフィルター支持ユニット９を移動させる。これにより、フラッシュ６と撮影カメラ４の前面に、撮影モードに応じた適切なフィルターが配置される。
【００４５】
したがって、評価目的に応じて、光源選択手段３３によって光源が間違うことなく適切に選択され、また、フィルター切換手段１２によってフィルターがフラッシュ６と撮影カメラ４の前面に適切に配置されるので、適切な光源とフィルターの組み合わせを確実に選択し顔画像を撮影することができる。
【００４６】
ここで、撮影モード選択手段３１の具体例について、図７を用いて説明する。パソコンのモニター３５上に検査項目が表示されており、ユーザーは検査したい項目をマウスによるクリックなどで選択する。選択された検査項目に応じた第１〜３撮影モードが選択され、選択された撮影モードの情報が制御部３０に送られる。この情報を元に顔撮影装置Ａがフィルターを自動で切り換えるので、フィルターの選択を間違うことはなく、撮影時間も短縮できる。
【００４７】
＜別実施形態＞
本実施形態においては、フィルター支持ユニット９は、フィルター切換手段１２によって水平方向に平行移動させられるように構成しているが、回転移動させるようにしてもよい。この場合、フィルター支持ユニット９は、図８のように、扇形をした箱の面にフィルターを支持している。フィルターは、本実施形態と同様に撮影モード毎に縦に並べられており、回転軸から連結部２１、第１支持部２２および第２支持部２３までの距離は等しく構成してある。よって、フィルター支持ユニット９が回転軸３６を中心に回転させられることで、撮影モードに応じてフィルターがフラッシュ６と撮影カメラ４の前面に適切に配置される。図８では、フィルター支持ユニット９は垂直面となっているが、上述の本実施形態と同様に中段を、上段、下段に比べ、撮影カメラ４側に突出してもよい。
【００４８】
なお、フィルター支持ユニット９は、第１支持部と第２支持部のみで構成してもよい。さらには、フィルター支持ユニット９は、その検査項目に応じて、さらに別の組み合わせとしてもよい。
【００４９】
第１支持部２２と第２支持部２３は、一体化されたフィルター支持ユニット９を構成せずに、第１支持部２２、第２支持部２３をそれぞれ独立したユニットとして構成してもよい。この独立したユニットを着脱可能に構成し、撮影モードに応じて交換することができる。このように構成することで、撮影モードに応じたフィルターをフラッシュ６と撮影カメラ４の前面に間違うことなく配置することができる。なお、どのユニットを配置したかを識別することができるように構成する。例えば、ユニット毎に異なるバーコードなどの識別マークを設けておき、配置されたユニットの識別マークを識別する方法、または、ユニット毎に異なる位置に突起を設けておき、配置されたユニットの突起の位置で識別する方法などを用いることができる。
【００５０】
蛍光灯５を使用する第１撮影モードにおいて、顔撮影装置Ａに人体センサーを設けて、蛍光灯５の自動点灯及び自動消灯ができるように構成してもよい。第１撮影モードを選択後すぐに蛍光灯５が点灯するようにしてもよいが、蛍光灯５の熱により顔撮影装置Ａ内の温度が上昇してしまい、実際に顔画像を撮影するために顔撮影装置Ａ内に顔を入れた場合に被検者が熱いと感じるという問題がある。このため、顔撮影装置Ａに人体センサーを設けることで、顔を顔撮影装置Ａに近づけたときに人体センサーが検知し、自動で蛍光灯５を点灯するようにし、また、撮影後に顔を顔撮影装置Ａから遠ざけたときに自動で蛍光灯５を消灯するようにする。したがって、顔撮影装置Ａ内の温度上昇を抑制することができ、被検者が熱いと感じにくくなる。さらに、必要なときだけ蛍光灯５が点灯するので、節電にもなる。また、蛍光灯５の点灯中は、冷却ファンにより顔撮影装置Ａ内の空気を排出してもよく、必要なときだけ蛍光灯５を点灯させることにより、顔撮影装置Ａ内の温度上昇を抑制することができるので、冷却ファンを簡略化することができ、冷却ファンの音も抑えられる。
【図面の簡単な説明】
【００５１】
【図１】顔撮影装置の内部構成を示す斜視図
【図２】顔撮影装置の内部構成を示す概略図
【図３】フラッシュの照射範囲を説明する図
【図４】フィルター支持ユニットの配置を説明する図
【図５】フィルター支持ユニットの概略構成図
【図６】顔撮影装置の制御機能を示すブロック図
【図７】撮影モード選択手段の具体例
【図８】フィルター支持ユニットの別実施形態を示す概略構成図
【符号の説明】
【００５２】
Ａ    顔撮影装置
１    フレーム
２    プレート
３    支持体
４    撮影カメラ
５    蛍光灯
６    フラッシュ
６ａ    発光面
７    拡散板
８    段差
９    フィルター支持ユニット
１０    ガイドレール
１１    被ガイド部
１２    フィルター切換手段
１３    発光光軸
２０    フィルターフレーム
２１    連結部
２２    第１支持部
２３    第２支持部
２４    丸孔
２５    第１の透過フィルター
２６    第１の偏光フィルター
２７    第２の偏光フィルター
２８    第２の透過フィルター
２９    カットフィルター
３０    制御部
３１    撮影モード選択手段
３２    撮影モード登録部
３３    光源選択手段
３４    ユニット位置検出部
３５    モニター
３６    回転軸
【図１】
2008289706.tif 000003
【図２】
2008289706.tif 000004
【図３】
2008289706.tif 000005
【図４】
2008289706.tif 000006
【図５】
2008289706.tif 000007
【図６】
2008289706.tif 000008
【図７】
2008289706.tif 000009
【図８】
2008289706.tif 000010